(57)【要約】      （修正有）【課題】簡便な操作によって倒伏状態を容易にロックすることができ、かつ、使用者の意図しない動きなどに基づいて外力が加わっても、操作部材の姿勢が変化しづらい留め具、及び、この留め具を備えた収納具を提供する。【解決手段】弾性体７０を弾性変形自在に保持する基台４０と、基台に設けられた支持軸４２を中心として回動可能に支持された操作部材５０とを備え、操作部材は、回動によって、弾性体の変形方向としての第１の方向に沿って延びる起立状態と、変形方向に直交する方向としての第２の方向に沿って延びる倒伏状態とを選択的にとり、起立状態と倒伏状態のいずれにおいても、弾性体の弾性力で第１の方向に付勢されることによって、起立又は倒伏の姿勢が維持され、操作部材は、倒伏状態において、第２の方向に沿って変位させることによって、回動により起立状態に復帰可能な第１の状態と、回動が制限された第２の状態とを選択的にとる。【選択図】図３
2020031673.tif 000002
【特許請求の範囲】
【請求項１】
弾性体を弾性変形自在に保持する基台と、
前記基台に設けられた支持軸を中心として回動可能に支持された操作部材とを備え、
前記操作部材は、前記回動によって、前記弾性体の変形方向としての第１の方向に沿って延びる起立状態と、前記変形方向に直交する方向としての第２の方向に沿って延びる倒伏状態とを選択的にとり、前記起立状態と前記倒伏状態のいずれにおいても、前記弾性体の弾性力で前記第１の方向に付勢されることによって、起立又は倒伏の姿勢が維持され、
前記操作部材は、前記倒伏状態において、前記第２の方向に沿って変位させることによって、前記回動により前記起立状態に復帰可能な第１の状態と、前記回動が制限された第２の状態とを選択的にとることを特徴とする留め具。
【請求項２】
前記基台は、前記弾性体を前記第１の方向に弾性変形可能に収納する凹部を備え、
前記操作部材は、前記弾性体に支持された支承体を介して前記弾性体の弾性力を受ける請求項１に記載の留め具。
【請求項３】
前記操作部材は、前記第２の状態において、前記支承体に当接することによって前記回動が制限される請求項２に記載の留め具。
【請求項４】
前記操作部材は、前記支持軸が延びる方向に沿って前記操作部材を貫通し、前記支持軸が挿通される貫通孔を備え、
前記貫通孔は、前記操作部材を前記倒伏状態としたときに前記第２の方向における両端部に位置する２つの外側孔部と、これら２つの外側孔部の間に位置する中間孔部とを有し、
前記操作部材は、前記２つの外側孔部の一方に前記支持軸が挿通されているときに前記第１の状態とされ、前記２つの外側孔部の他方に前記支持軸が挿通されているときに前記第２の状態とされる請求項２又は請求項３に記載の留め具。
【請求項５】
前記操作部材に対する前記弾性体による付勢力は、前記２つの外側孔部のいずれかに前記支持軸が挿通されているときよりも、前記中間孔部に前記支持軸が挿通されているときの方が大きい請求項４に記載の留め具。
【請求項６】
前記操作部材を前記倒伏状態として前記貫通孔に前記支持軸を挿通させた場合、前記第１の方向における前記支持軸と前記弾性体との距離は、前記外側孔部に前記支持軸を挿通させたときよりも、前記中間孔部に前記支持軸を挿通させたときの方が大きい請求項４又は請求項５に記載の留め具。
【請求項７】
請求項１から請求項６のいずれか１項に記載の留め具が収納具の本体に設けられ、
前記収納具の蓋部には、前記起立状態の前記操作部材を挿通可能とし、かつ、前記倒伏状態の前記操作部材の長さより小さな内径を有する穴部が設けられ、
前記起立状態で前記穴部に挿通させた前記操作部材を前記倒伏状態に変えることによって、前記蓋部を前記本体に対して閉止させることを特徴とする収納具。
【請求項８】
前記穴部に挿通され、かつ、前記倒伏状態とされた前記操作部材を、前記第１の状態から前記第２の状態に変更することによって前記操作部材をロックする請求項７に記載の収納具。
【発明の詳細な説明】
【技術分野】
【０００１】
本発明は、ハンドバッグ、財布、小物入れその他の蓋付きの収納具において、蓋の開放を防止するために用いる留め具、及び、このような留め具を備えた収納具に関する。
【背景技術】
【０００２】
特許文献１に記載の閉止金具は、基台及び閉止具を備えた閉止具本体と、受け金具との組み合わせからなる。閉止具本体は、中央部を突出させほぼ凸字状を呈するよう形成した基台の先端に、平面形状がＣ字状を呈する閉止具の両端部を起伏自在に枢支させている。受け金具においては、Ｃ字状の閉止具とその基端部を枢支した基台の先端部を挿通させるための挿通孔が形成されている。閉止具の両端部は、基台の先端中央部に凸字状に突出形成した枢支部に枢軸を介して起伏自在に枢支されており、また、閉止具の両端下面及び両端側面部が、枢支部の両側に形成した支承部にスプリングを介して弾撥的に取付けられた支承杆により弾撥的に支承されている。このような構成により、起立状態又は倒伏状態にある閉止具の下端側面は、常に支承杆によって押し上げ支承されるため、環状の閉止具に不要の外力が加えられても倒伏動作を起こすことがなく、極めて安定した使用状態を維持することができるとされている。
【先行技術文献】
【特許文献】
【０００３】
【特許文献１】実開平５−９１４２８号公報
【発明の概要】
【発明が解決しようとする課題】
【０００４】
しかしながら、特許文献１に記載の閉止金具においては、これを用いたハンドバッグ等の使用中に使用者の衣服や手指などが閉止金具にやや強く触れる場合がある。この場合に、閉止具に対してスプリングの弾性力よりも大きな外力が一時的に加わると、例えば倒伏状態にあった閉止具が起立状態に変化し、これによって、意図せずにハンドバッグの蓋が開いてしまうおそれがある。
【０００５】
また、ハンドバッグ等に許容量以上の物を収容させたために膨れ上がった状態になった場合、蓋が持ち上がると共に、閉止金具が自然に起立しやすくなり、これによって蓋が開きやすい状態になってしまうという問題もある。
【０００６】
そこで本発明は、回動可能な操作部材の姿勢を変化させることによって、起立状態と倒伏状態とを選択的に実現させる留め具において、簡便な操作によって倒伏状態を容易にロックすることができ、かつ、使用者の意図しない動きなどに基づいて外力が加わっても、操作部材の姿勢が変化しづらい留め具、及び、この留め具を備えた収納具を提供することを目的とする。また、本発明は、収納具内の収納量が大きくなった場合であっても、留め具の倒伏状態が確実に維持される収納具を提供することをさらなる目的とする。
【課題を解決するための手段】
【０００７】
上記課題を解決するために、本発明の留め具は、弾性体を弾性変形自在に保持する基台と、基台に設けられた支持軸を中心として回動可能に支持された操作部材とを備え、操作部材は、回動によって、弾性体の変形方向としての第１の方向に沿って延びる起立状態と、変形方向に直交する方向としての第２の方向に沿って延びる倒伏状態とを選択的にとり、起立状態と倒伏状態のいずれにおいても、弾性体の弾性力で第１の方向に付勢されることによって、起立又は倒伏の姿勢が維持され、操作部材は、倒伏状態において、第２の方向に沿って変位させることによって、回動により起立状態に復帰可能な第１の状態と、回動が制限された第２の状態とを選択的にとることを特徴としている。
【０００８】
本発明の留め具において、基台は、弾性体を第１の方向に弾性変形可能に収納する凹部を備え、操作部材は、弾性体に支持された支承体を介して弾性体の弾性力を受けることが好ましい。
【０００９】
本発明の留め具において、操作部材は、第２の状態において、支承体に当接することによって回動が制限されることが好ましい。
【００１０】
本発明の留め具において、操作部材は、支持軸が延びる方向に沿って操作部材を貫通し、支持軸が挿通される貫通孔を備え、貫通孔は、操作部材を倒伏状態としたときに第２の方向における両端部に位置する２つの外側孔部と、これら２つの外側孔部の間に位置する中間孔部とを有し、操作部材は、２つの外側孔部の一方に支持軸が挿通されているときに第１の状態とされ、２つの外側孔部の他方に支持軸が挿通されているときに第２の状態とされることが好ましい。
【００１１】
本発明の留め具において、操作部材に対する弾性体による付勢力は、２つの外側孔部のいずれかに支持軸が挿通されているときよりも、中間孔部に支持軸が挿通されているときの方が大きいことが好ましい。
【００１２】
本発明の留め具においては、操作部材を倒伏状態として貫通孔に支持軸を挿通させた場合、第１の方向における支持軸と弾性体との距離は、外側孔部に支持軸を挿通させたときよりも、中間孔部に支持軸を挿通させたときの方が大きいことが好ましい。
【００１３】
本発明の収納具は、留め具が収納具の本体に設けられ、収納具の蓋部には、起立状態の操作部材を挿通可能とし、かつ、倒伏状態の操作部材の長さより小さな内径を有する穴部が設けられ、起立状態で穴部に挿通させた操作部材を倒伏状態に変えることによって、蓋部を本体に対して閉止させることを特徴としている。
【００１４】
本発明の収納具においては、穴部に挿通され、かつ、倒伏状態とされた操作部材を、第１の状態から第２の状態に変更することによって操作部材をロックすることが好ましい。
【発明の効果】
【００１５】
本発明によると、簡便な操作によって倒伏状態を容易にロックすることができ、かつ、使用者の意図しない動きなどに基づいて外力が加わっても、操作部材の姿勢が変化しづらい留め具、及び、これを備えた収納具を提供することができる。
【図面の簡単な説明】
【００１６】
【図１】本発明の実施形態に係る留め具を用いた収納具としてのハンドバッグの蓋部を閉じた状態を示す斜視図である。
【図２】図１のハンドバッグの蓋部を開いた状態を示す斜視図であり、起立状態の留め具を示している。
【図３】（ａ）は起立状態の留め具を示す斜視図、（ｂ）は（ａ）のＡ−Ａ’線に沿った留め具の断面図である。
【図４】（ａ）〜（ｅ）は、留め具を状態ごとに示した断面図である。
【発明を実施するための形態】
【００１７】
以下、本発明の実施形態に係る留め具について図面を参照しつつ詳しく説明する。図１は、本実施形態の留め具３０を用いた収納具としてのハンドバッグ１０の蓋部を閉じた状態を示す斜視図である。図２は、図１のハンドバッグ１０の蓋部１２を開いた状態を示す斜視図であり、起立状態の留め具３０を示している。図３（ａ）は起立状態の留め具３０を示す斜視図、図３（ｂ）は図３（ａ）のＡ−Ａ’線に沿った留め具３０の断面図である。図４（ａ）〜（ｅ）は、留め具３０を状態ごとに示した断面図である。図４（ａ）は起立状態を示し、（ｂ）は起伏状態と倒伏状態の中間の状態を示し、（ｃ）は倒伏状態の第１の状態を示し、（ｄ）は倒伏状態の第１状態と第２状態の中間の状態を示し、（ｅ）は倒伏状態の第２の状態を示す。
【００１８】
本実施形態の留め具３０は、図２に示すように、ハンドバッグ１０の本体１１に取り付けられる。この取り付けは、例えば、留め具３０の背面から延びる脚部（不図示）を本体１１に挿通させ、止めねじ（不図示）を螺合する事によって行う。
【００１９】
蓋部１２には、閉じたときに留め具３０に対応する位置に、蓋部１２を厚み方向に貫通するハトメ（鳩目）２０（穴部）が設けられている。このハトメ２０は、真鍮、アルミニウム、ステンレス、亜鉛その他の金属材料で構成され、平面視円形の貫通孔を有しており、この貫通孔によって蓋部１２を厚み方向に貫通している。この貫通孔の内径は、留め具３０に設けられた操作部材５０の長さ（図３（ａ）、（ｂ）のＺ方向の長さ）よりも小さく、かつ、操作部材５０の幅（図３（ａ）、（ｂ）のＹ方向の長さ）よりも大きい。より厳密には、貫通孔の内径は、支持軸４２によって支持されたときの操作部材５０の長手方向の先端部５２（図３（ａ）、（ｂ））から支持軸４２までの長さの最小値よりも小さいことが好ましい。このような構成により、操作部材５０は、起立状態のときにのみハトメ２０に挿通可能であり、倒伏状態のときはハトメ２０に新たに挿通させることはできない。
なお、ハトメ２０に代えて蓋部１２を厚み方向に貫通する穴部を設ける構成でもよい。
【００２０】
留め具３０の操作部材５０を図２に示すような起立状態としたとき、操作部材５０を蓋部１２のハトメ２０に挿通させることができるため、蓋部１２は本体１１に対して開閉自在となる。これに対して、図１に示すように、操作部材５０をハトメ２０に挿通させて蓋部１２を閉じた後に倒伏状態とすると、蓋部１２に設けたハトメ２０に操作部材５０が当接するため、蓋部１２を開く動作が制限され、蓋部１２の閉止状態が維持される。
【００２１】
図３（ａ）、（ｂ）に示すように、留め具３０は、基台４０と、操作部材５０と、支承体６０と、弾性体としてのばね７０とを備える。基台４０と操作部材５０は、互いの当接、及び、操作部材５０と支承体６０との当接に対する耐久性を有する硬性の材料で構成することが好ましく、外観も考慮すると、真鍮、アルミニウム、ステンレスその他の金属材料であることがさらに好ましい。支承体６０は、操作部材５０との当接を考慮すると耐久性と硬性を有する材料で構成することが好ましく、製造性の観点からは樹脂材料であるとよい。
【００２２】
以下の説明において、弾性体としてのばね７０の伸縮方向（弾性変形の変形方向）（図３（ｂ）及び図４（ａ）〜（ｅ）の上下方向（Ｚ方向））を第１の方向又は上下方向と称し、この伸縮方向に直交する方向のうち、倒伏状態の操作部材５０が延びる方向（図３（ｂ）及び図４（ａ）〜（ｅ）の左右方向（Ｘ方向））を第２の方向と称する。
【００２３】
図３（ａ）、（ｂ）に示すように、基台４０の上部には、上面４０ａから上下方向（Ｚ方向）に沿って延びる一対の支持部４１、４１が設けられている。これらの支持部４１、４１は、第１の方向に直交する方向（Ｙ方向）において一定の間隔をおいて互いに対向する。一対の支持部４１、４１の間隙には、操作部材５０が配置される。操作部材５０は、両端部が一対の支持部４１、４１にそれぞれ固定され、かつ、Ｙ方向に沿って延びる支持軸４２を中心として回動可能に支持される。
【００２４】
操作部材５０は、その幅方向（Ｙ方向）に沿って貫通するように設けられた貫通孔５１を備え、基台４０の支持軸４２はこの貫通孔５１に挿通される。貫通孔５１は、操作部材５０の長手方向において、両端側の２つの外側孔部５１ａ、５１ｂと、これら２つの外側孔部５１ａ、５１ｂの間に位置する中間孔部５１ｃとを備える。ここで、操作部材５０の長手方向は、図３（ｂ）に示すような起立状態においては、Ｚ方向に沿った方向であり、図４（ｃ）、（ｄ）、（ｅ）に示すような倒伏状態においては、Ｘ方向に沿った方向である。
【００２５】
基台４０にはさらに、一対の支持部４１、４１の間において、上面４０ａから下側へ凹設された凹部４３が設けられている。この凹部４３は、支承体６０が、その基部６１の外面を凹部４３の内壁に接触させつつ上下方向に沿って変位可能となるような形状を備える。
【００２６】
支承体６０は、円柱状の基部６１と、基部６１の下面６１ｂから、基部６１と同心状に下方に延びる円柱状の軸部６２とを備える。また、基部６１の下面６１ｂには、弾性部材として、圧縮コイルばねであって弾性変形可能なばね７０の一端が固定されている。このばね７０は、軸部６２の外周面の周りを巻くように配置され、外力を加えない状態においては、軸部６２の下端よりも下側まで延びている。ばね７０の他端は凹部４３の底面４４に当接する。これにより、ばね７０は、支承体６０の基部６１の下面６１ｂと、凹部４３の底面４４とで両端が保持され、上下に伸縮可能に配置される。別言すると、支承体６０は、ばね７０によって弾性的に支持されている。凹部４３の内面で案内されることによって、支承体６０の変位方向、及び、ばね７０の伸縮方向が定まるため、ばね７０の弾性力が効率的に操作部材５０に作用する。
【００２７】
支承体６０の基部６１の上面６１ａには、操作部材５０が、その状態（姿勢）に関わらず常に当接するように配置されている。このため、支承体６０と、その基部６１の下面６１ｂに固定されたばね７０との両方には、常に下向きの力が働いている。よって、ばね７０は圧縮された状態で基台４０の凹部４３内に伸縮自在に保持されている。また、操作部材５０は、ばね７０からの上向きの弾性力を受けている。支承体６０とばね７０に働く下向きの力の大きさは、操作部材５０の状態（図４（ａ）〜（ｅ）参照）に応じて変化する。
【００２８】
図４（ａ）〜（ｅ）を参照して操作部材５０の状態の変化について説明する。図４（ａ）〜（ｅ）において、基台４０の上面４０ａの位置をＢ−Ｂ’線で示している。
図４（ａ）に示す起立状態では、長手方向が上下方向（Ｚ方向）に沿うように操作部材５０は延びており、長手方向の後端部５４（起立状態における下側の端部）の平面５５が基部６１の上面６１ａに当接している。すなわち、操作部材５０は、ばね７０の伸縮方向（第１の方向）に沿って延びている。これにより、支承体６０とばね７０は操作部材５０から下向きに抑えられるためばね７０は収縮し、ばね７０が伸びようとする弾性力によって、操作部材５０に対して上向きの力が付勢された状態となり、これによって操作部材５０は起立状態の姿勢が維持される。
【００２９】
図４（ａ）に示す起立状態から、支持軸４２を中心として、操作部材５０をＤ１方向に回動させると、図４（ｂ）の状態を経て、操作部材５０は図４（ｃ）に示す倒伏状態（第１の状態）に至る。この倒伏状態においては、長手方向がＸ方向に沿うように操作部材５０は延びており、長手方向にほぼ沿った側面５３（図３（ｂ）参照）が基部６１の下面６１ｂに当接している。このとき、操作部材５０は、ばね７０の伸縮方向に直交する方向（第２の方向）に沿って延びている。これにより、支承体６０とばね７０は操作部材５０から下向きに抑えられるためばね７０は収縮し、ばね７０が伸びようとする弾性力によって、操作部材５０に対して上向きの力が付勢された状態となり、これによって操作部材５０は倒伏状態の姿勢が維持される。
【００３０】
ここで、図４（ａ）と図４（ｃ）を比較すると分かるように、起立状態（図４（ａ））と倒伏状態（第１の状態）（図４（ｃ））とでは、基部６１の上面６１ａが操作部材５０と当接する上下方向の位置が異なる。より具体的には、起立状態の方が、より下側の位置で当接しているため、ばね７０がより収縮されている。したがって、起立状態（図４（ａ））の方がより強い弾性力が操作部材５０に働いている。このため、起立状態の操作部材５０をＤ１方向に回動させて倒伏状態とするよりも、Ｄ１方向とは逆向きの方向に回動させることによって倒伏状態から起立状態にもどす方が容易であり、図４（ｃ）に示す倒伏状態（第１の状態）は起立状態に復帰可能な状態である。
【００３１】
次に、図４（ｃ）に示す倒伏状態（第１の状態）から、操作部材５０を、Ｘ方向に沿ったＤ２方向に移動させると、図４（ｄ）の状態を経て、操作部材５０は図４（ｅ）に示す倒伏状態（第２の状態）に至る。この過程においては、貫通孔５１内における支持軸４２の位置が、外側孔部５１ａから中間孔部５１ｃを経て、外側孔部５１ｂまで変位する。操作部材５０がＸ方向に延びた倒伏状態（図４（ｃ）〜（ｅ））においては、中間孔部５１ｃは、２つの外側孔部５１ａ、５１ｂよりも上側に位置するため、支持軸４２の位置が中間孔部５１ｃにあるときに操作部材５０がばね７０の弾性力によって受ける上向きの付勢力は、２つの外側孔部５１ａ、５１ｂにあるときよりも大きくなる。また、外側孔部５１ａ、５１ｂに支持軸４２を挿通させたときよりも、中間孔部５１ｃに挿通させたときの方が、第１の方向（Ｚ方向）における支持軸４２とばね７０との距離（最短の距離）は大きくなっている。よって、操作部材５０を図４（ｃ）の倒伏状態（第１の状態）から図４（ｅ）の倒伏状態（第２の状態）に変更するためには、上下方向に一定以上の力を加えつつ、Ｄ２方向に沿って移動させる必要がある。したがって、第２の状態に至った後は、意図しない外力が加わっても容易に第１の状態に戻ってしまうことを防ぐことができる。よって、ハンドバッグ１０に許容量以上の物を収容させたために膨れ上がった状態になったとしても、操作部材５０が第１の状態や起立状態にもどってしまうことを確実に防ぐことができる。
【００３２】
さらに図４（ｃ）に示す状態においては、支持軸４２を中心にして操作部材５０を回動させようとすると、その後端部５４が基台４０の上面４０ａに直ちに当接する。このため、操作部材５０の回動は制限される。したがって、操作部材５０は、回動によって起立状態に復帰させることができないロック状態となる。よって、操作部材５０を倒伏状態にすることでハンドバッグ１０の蓋部１２を閉止した場合には、意図しない操作等によって操作部材５０が起立状態に戻ってしまうことがなくなり、閉止状態が維持される。
【００３３】
これに対して、図４（ｅ）に示す第２の状態において、Ｄ２方向とは逆向きのＤ３方向に操作部材５０を移動させ、図４（ｃ）に示す第１の状態まで戻すと、操作部材５０は支持軸４２を中心として回動可能となってロックが解除された状態となり、起立状態に復帰可能となる。
【００３４】
以上のように構成されたことから、上記実施形態の留め具によれば、次の効果を奏する。
（１）支持軸４２を中心として回動可能とした操作部材５０の姿勢を変化させることによって、起立状態と倒伏状態とを選択可能としたため、留め具の閉止と開放の状態が容易に変更可能となる。
（２）さらに、倒伏状態において、操作部材５０を第２の方向、すなわち凹部４３内に収納されたばね７０の伸縮方向に直交する方向に変位させるという簡便な操作によって、起立状態に復帰可能な第１の状態と、操作部材５０の回動が制限された第２の状態とが選択可能となった。これにより、倒伏状態を容易にロックすることが可能となったため、このロック状態において、使用者の意図しない動きなどに基づいて外力が加わっても、操作部材５０の姿勢が変化しづらい留め具を実現することが可能となった。
【００３５】
以下に変形例について説明する。
上記実施形態においては、図４（ｅ）に示す倒伏状態の第２の状態において、操作部材５０の後端部５４と基台４０の上面４０ａが当接することによって、操作部材５０の回動を制限していたが、これに代えて、又はこれに加えて、例えば、基台４０と操作部材５０とが互いに係合しあうように、係合凸部と係合凹部をそれぞれ設けると、操作部材５０の回動をより確実に制限することができるため好ましい。
【００３６】
上記実施形態においては、留め具３０を収納具としてのハンドバッグ１０に取り付ける霊を用いて説明しているが、こうした態様の留め具は収納具に限定されることなく、例えば服飾製品の留め具（ボタン等）としても応用可能である。
【００３７】
上記実施形態においては、弾性体として圧縮コイルばねであるばね７０を用いたが、弾性力によって操作部材５０を第１の方向に付勢し、操作部材５０の起立状態及び倒伏状態の姿勢を維持させることができれば、圧縮コイルばね以外の構成・形態を用いてもよい。また、支承体６０を介することなく弾性体を直接操作部材５０に接触させる構成も可能である。
本発明について上記実施形態を参照しつつ説明したが、本発明は上記実施形態に限定されるものではなく、改良の目的又は本発明の思想の範囲内において改良又は変更が可能である。
【産業上の利用可能性】
【００３８】
以上のように、本発明に係る留め具は、簡便な操作によって倒伏状態を容易にロックすることができ、かつ、使用者の意図しない動きなどに基づいて外力が加わっても、操作部材の姿勢が変化しづらいと言う点で有用である。
【符号の説明】
【００３９】
１０    ハンドバッグ（収納具）
１１    本体
１２    蓋部
２０    ハトメ（穴部）
３０    留め具
４０    基台
４０ａ  上面
４１    支持部
４２    支持軸
４３    凹部
４４    底面
５０    操作部材
５１    貫通孔
５１ａ、５１ｂ  外側孔部
５１ｃ  中間孔部
５２    先端部
５３    側面
５４    後端部
５５    平面
６０    支承体
６１    基部
６１ａ  上面
６１ｂ  下面
６２    軸部
７０    ばね（弾性体）
Ｄ１、Ｄ２、Ｄ３  方向
【図１】
2020031673.tif 000003
【図２】
2020031673.tif 000004
【図３】
2020031673.tif 000005
【図４】
2020031673.tif 000006